(57)【要約】【課題】  シャフトと区間段部を結合させてビリヤードのキューを形成するユニバーサルシャフト接合具キットを提供する。【解決手段】  一組のシャフト６１０と一組の区間段部６３０とを結合させてビリヤードのキューを形成し、前記区間段部６３０は異なる形態を呈するピン６３５を有するユニバーサルシャフト接合具キット６２０であって、異なる形態を呈する内ねじ山段部を有することで、分離可能な方法で区間段部６３０の異なるピン６３５を結合させ、共用シャフト端部の外ねじ山部６２７を有することで、一組のシャフト６１０のうち任意のシャフトのバットエンド６１１と結合する一組のユニバーサルシャフト接合具６２５、６２６、６２８、６２９を備えることを特徴とするユニバーサルシャフト接合具キット。【選択図】  図６
0003113643.tif 000002
【実用新案登録請求の範囲】
【請求項１】
一組のシャフトと一組の区間段部とを結合させてビリヤードのキューを形成し、前記区間段部は異なる形態を呈するピンを有するユニバーサルシャフト接合具キットであって、
異なる形態を呈する内ねじ山段部を有することで、分離可能な方法で区間段部の異なるピンを結合させ、共用シャフト端部の外ねじ山部を有することで、一組のシャフトのうち任意のシャフトのバットエンドと結合する一組のユニバーサルシャフト接合具を備えることを特徴とするユニバーサルシャフト接合具キット。
【請求項２】
一組のユニバーサルシャフト接合具のうち一つのユニバーサルシャフト接合具は、
共用シャフト端部の外ねじ山部を有することで、一組のシャフトのうち任意のシャフトのバットエンドと結合するユニバーサルアダプタと、
ユニバーサルアダプタと結合し、内ねじ山区域を有することで、一組の区間段部の特定形態を呈するピンと結合する挿入ユニットと、
を有することを特徴とする請求項１に記載のユニバーサルシャフト接合具キット。
【請求項３】
ユニバーサルアダプタは、ポリエチレンテレフタレートを含有することを特徴とする請求項２に記載のユニバーサルシャフト接合具キット。
【請求項４】
挿入ユニットは、黄銅を含有することを特徴とする請求項２に記載のユニバーサルシャフト接合具キット。
【請求項５】
一組のシャフトのうち任意のシャフトのバットエンドに固定され、共用内ねじ山部を有することでユニバーサルシャフト接合具の共用シャフト端部の外ねじ山部と結合する一組の受け具を更に備えることを特徴とする請求項２に記載のユニバーサルシャフト接合具キット。
【請求項６】
一組のユニバーサルシャフト接合具のうち一つのユニバーサルシャフト接合具は、円形の横断面を有し、その直径が0.82インチから0.86インチの間であることを特徴とする請求項１に記載のユニバーサルシャフト接合具キット。
【請求項７】
前記直径は、約0.835インチ、約0.841インチ、約0.845インチまたは約0.850インチのいずれかであることを特徴とする請求項６に記載のユニバーサルシャフト接合具キット。
【請求項８】
一組のユニバーサルシャフト接合具のうち一つのユニバーサルシャフト接合具の内ねじ山段部は、ボール形ねじ山であることを特徴とする請求項１に記載のユニバーサルシャフト接合具キット。
【請求項９】
一組のユニバーサルシャフト接合具のうち一つのユニバーサルシャフト接合具の内ねじ山段部は、3/8-10ねじ山、5/16-14ねじ山または5/16-18ねじ山のいずれかであることを特徴とする請求項１に記載のユニバーサルシャフト接合具キット。
【請求項１０】
一組のユニバーサルシャフト接合具のうち一つのユニバーサルシャフト接合具の内ねじ山段部は、一回り回転するうちに一組の区間段部のうち一つの区間段部のピンと結合可能であることを特徴とする請求項１に記載のユニバーサルシャフト接合具キット。
【請求項１１】
若干のユニットから一組の接続シャフトを組成し、一組の区間段部と結合させることでビリヤードのキューを形成し、前記一組の区間段部は異なる形態を呈するピンを有するキットであって、
共用バットエンドを有する一組のシャフトと、
異なる形態を呈する内ねじ山段部を有することで、異なる形態を呈するピンを分離可能な方法で結合させ、共用シャフト端部の外ねじ山部を有することで、一組のシャフトのうち任意のシャフトの共用バットエンドに固定可能である一組のユニバーサルシャフト接合具と、
を備えることを特徴とするキット。
【請求項１２】
すべてのユニバーサルシャフト接合具は、
共用シャフト端部の外ねじ山部を有することで、一組のシャフトのうち任意のシャフトの共用バットエンド上に固定可能であるユニバーサルアダプタと、
ユニバーサルアダプタに固定され、かつ内ねじ山区域を有することで、一組の区間段部のうち少なくとも一つの区間段部の特定ピンと結合する挿入ユニットと、
を有することを特徴とする請求項１１に記載のキット。
【請求項１３】
一組のシャフトのうち任意のシャフトの共用バットエンドに固定され、かつ共用内ねじ山部を有することでユニバーサルシャフト接合具の共用シャフト端部の外ねじ山部と結合する一組の受け具と、
内ねじ山と、
外ねじ山を有する延伸部を有する挿入ユニットと、
を備えることを特徴とする請求項１１に記載のキット。
【請求項１４】
シャフトとビリヤードのキューの区間段部とを接続させるユニバーサルシャフト接合具であって、
外ねじ山を有しシャフトのバットエンドに固定可能な延伸部、及び内ねじ山を有するユニバーサルアダプタと、
外ねじ山を有しユニバーサルアダプタの内ねじ山と結合可能である延伸部、及び分離可能な方法で区間段部の上に固定され、外ねじ山を有するピンと結合可能である内ねじ山を有する挿入ユニットと、
を備えることを特徴とするユニバーサルシャフト接合具。
【請求項１５】
ユニバーサルアダプタは、ポリエチレンテレフタレートを含有することを特徴とする請求項１４に記載のユニバーサルシャフト接合具。
【請求項１６】
挿入ユニットは、黄銅を含有することを特徴とする請求項１４に記載のユニバーサルシャフト接合具。
【請求項１７】
円形の横断面を有し、その直径が0.82インチから0.86インチの間であることを特徴とする請求項１４に記載のユニバーサルシャフト接合具。
【請求項１８】
前記直径は、約0.835インチ、約0.841インチ、約0.845インチまたは約0.850インチのいずれかであることを特徴とする請求項１７に記載のユニバーサルシャフト接合具。
【請求項１９】
内ねじ山段部は、ボール形ねじ山であることを特徴とする請求項１４に記載のユニバーサルシャフト接合具。
【請求項２０】
内ねじ山段部は、3/8-10ねじ山、5/16-14ねじ山または5/16-18ねじ山のいずれかであることを特徴とする請求項１４に記載のユニバーサルシャフト接合具。
【請求項２１】
内ねじ山段部は、一回り回転するうちに一組の区間段部のうち一つの区間段部のピンと結合可能であることを特徴とする請求項１４に記載のユニバーサルシャフト接合具。
【請求項２２】
ビリヤードのキューの区間段部を結合させる接続シャフトであって、
バットエンドを有するシャフトと、
外ねじ山を有する延伸部と内ねじ山とを有し、延伸部によりシャフトのバットエンドに密接可能であるユニバーサルアダプタと、
外ねじ山を有する延伸部を有することで、ユニバーサルアダプタの内ねじ山と結合し、内ねじ山を有することで区間段部における外ねじ山を有するピンと結合可能である挿入ユニットと、
を備えることを特徴とする接続シャフト。
【請求項２３】
シャフトのバットエンドに固定され、内ねじ山部を有することで、ユニバーサルアダプタの外ねじ山と結合する受け具を備えることを特徴とする請求項２２に記載の接続シャフト。
【請求項２４】
自由端、及び自由端によりボールを突いた時の振動を吸収可能な振動吸収材料を有するシャフトと、
外ねじ山を有しシャフトのバットエンドに固定可能な延伸部、及び内ねじ山を有するユニバーサルアダプタと、
外ねじ山を有しユニバーサルアダプタの内ねじ山と結合可能である延伸部、及びキューの区間段部における外ねじ山を有するピンと結合可能である内ねじ山を有する挿入ユニットと、
を備えることを特徴とするビリヤードのキューの振動軽減シャフト。
【請求項２５】
シャフトと区間段部とが結合した後、シャフト及び区間段部は軸方向に対し剛性を呈する完全な一体を形成することを特徴とする請求項２４に記載のビリヤードのキューの振動軽減シャフト。
【請求項２６】
一組のキューの第一区間段部と一組のキューの第二区間段部とを接続させ、前記第二区間段部は異なる形態を呈するねじ山部を有するユニバーサル接合具キットであって、
異なる相補ねじ山部を有することで、それぞれの第二区間段部の異なるねじ山部と結合し、相互に共用可能な端部を有することで、一組の第一区間段部のうち任意の第一区間段部の共用端部に固定可能である一組のユニバーサル接合具を備えることを特徴とするユニバーサル接合具キット。
【請求項２７】
若干のユニットから一組のキューの接続第一区間段部を組成し、一組のキューの接続第二区間段部と結合させ、一組の第二区間段部は異なる形態を呈するねじ山を有するキットであって、
共用端部を有する一組の第一区間段部と、
異なる相補ねじ山部を有することで、第二区間段部の異なるねじ山部と結合し、相互に共用可能な端部を有することで、一組の第一区間段部のうち任意の第一区間段部の共用端部に固定可能である一組のユニバーサル接合具と、
を備えることを特徴とするキット。
【請求項２８】
キューの第一区間段部とキューの第二区間段部とを接続させ、前記第二区間段部がねじ山部を有するユニバーサル接合具であって、
相互に共用可能な端部を有することで、共用端部において第一区間段部に連接するユニバーサルアダプタと、
ユニバーサルアダプタに固定され、相補ねじ山部を有することで、第二区間段部のねじ山部と結合する挿入ユニットと、
を備えることを特徴とするユニバーサル接合具。
【請求項２９】
キューの第二区間段部に連接するビリヤードのキューの接続第一区間段部であって、
共用端部を有する第一区間段部と、
相互に共用可能な端部を有することで、第一区間段部の共用端部に密接するユニバーサルアダプタと、
ユニバーサルアダプタに固定され、相補ねじ山部を有することで、第二区間段部のねじ山部と結合する挿入ユニットと、
を備えることを特徴とするビリヤードのキューの接続第一区間段部。
【請求項３０】
ボールを突いた時の振動を吸収可能な振動吸収材料、及び共用端部を有するキューの第一区間段部と、
相互に共用可能な端部を有することで、第一区間段部の共用端部に密接するユニバーサルアダプタと、
ユニバーサルアダプタに固定され、相補ねじ山部を有することで、キューの第二区間段部のねじ山部と結合する挿入ユニットと、
を備えることを特徴とするビリヤードのキューの制振区間段部。
【考案の詳細な説明】
【技術分野】
【０００１】
本考案は、ビリヤードのキューに関し、特にキューのユニバーサル接合具及びユニバーサル接合具キットに関するものである。
【背景技術】
【０００２】
一般のビリヤードのキューはシャフト（shaft）とバット（butt）に分解することが可能であるため、携帯と収納が便利である。シャフトはビリヤードのキューのボールを突く端部を有する。バットはビリヤードのキューのハンドルを有する。基本的に挿入ユニットによりシャフトと特定のバットとを結合させることが可能である。バットは一端にねじ山のピンを有するのに対し、シャフトはピンと結合するため内側にねじ山を有する挿入ユニットを有する。これにより、ビリヤードのキューの分解と結合が可能である。
【０００３】
シャフトは直径が比較的小さいため、バットよりも折れやすい。したがって、シャフトを取り替えた後も、ハンドルは使用可能なビリヤードのキューを形成できる。また、異なるシャフトとハンドルは特定の機械性と外観特性を有するため、プレイヤーは特定の組み合わせ、例えば、異なる長さ、重量または機械性質を有するシャフト、特殊の装飾用パターンを有するハンドルを選択することが可能である。したがって、プレイヤーはハンドルとシャフトの交換可能な性質により必要なビリヤードのキューを求めることが可能である。
シャフトの製造者は特定のピンを有するハンドルと結合するように特定の挿入ユニットを有するシャフトを製作する必要がある。したがって、製造者はピンに対応するように異なる挿入ユニットを製作する必要がある。
【考案の開示】
【考案が解決しようとする課題】
【０００４】
本考案の目的は、シャフトと区間段部を結合させてビリヤードのキューを形成するユニバーサルシャフト接合具キットを提供することにある。
【課題を解決するための手段】
【０００５】
本考案では、ビリヤードのキューのほかの区間段部に対応するシャフトが共用バットエンドを有することで、ユニバーサルシャフト接合具（universal shaft fitting）を固定する。異なるユニバーサルシャフト接合具は異なる内ねじ山を有することで異なるピンに対応する。全てのユニバーサルシャフト接合具は任意のシャフト上に固定可能な共用シャフト端部を有する。特定のシャフトとユニバーサルシャフト接合具を選択することでシャフトとキューのほかの区間段部とを結合させることが可能である。
【０００６】
全てのユニバーサルシャフト接合具はユニバーサルアダプタ（adapter）と挿入ユニット（insert）を有する。ユニバーサルアダプタは任意のシャフト上に固定可能なシャフト端部を有する。挿入ユニットはユニバーサルアダプタに固定され、他の区間段部のピンと結合する内ねじ山を有する。受け具（receiver）は共用バットエンドを有するシャフト上に固定される。
【０００７】
ユニバーサルシャフト接合具キットは異なるピンと、異なるピンと結合する異なる内ねじ山を有するユニバーサルシャフト接合具とを有する。全てのユニバーサルシャフト接合具の共用シャフト端における外ねじ山部は任意のシャフトと結合する。
全てのユニバーサルシャフト接合具はユニバーサルアダプタと挿入ユニットを有する。ユニバーサルアダプタはポリエチレンテレフタレート（Polyethylene Terephthalate）を含有する。挿入ユニットは黄銅（brass）を含有する。接合具キットは受け具を一組有する。受け具はシャフトのバットエンドに固定され、かつユニバーサルシャフト接合具の共用外ねじ山部と結合する共用内ねじ山部を有する。ユニバーサルシャフト接合具は円形の断面を有し、その直径が0.82インチから0.86インチの間、特に約0.835インチ、0.841インチ、0.845インチまたは0.850インチである。ユニバーサルシャフト接合具の内ねじ山はボール形ねじ山（ball screw thread）、3/8-10ねじ山、5/16-14ねじ山、5/16-18ねじ山、または一回り回転するうちにピンと結合可能なものなどのいずれかである。
【０００８】
本考案によるアダプタは異なるピンを有する区間段部と、共用バットエンドを有する一組のシャフト、及び一組の前述ユニバーサルシャフト接合具から組成されるシャフトキットとを含む。ユニバーサルシャフト接合具はユニバーサルアダプタと挿入ユニットを有する。かつ接合具キットは任意のシャフトの共用バットエンドに固定される一組の受け具と、全てのユニバーサルシャフト接合具の共用外ねじ山のシャフト端部と結合する共用内ねじ山部を有する。
【０００９】
前述の如く、ユニバーサルシャフト接合具はユニバーサルアダプタと挿入ユニットを有する。ユニバーサルアダプタは内ねじ山と、外ねじ山を有する延伸部を有することでキューのシャフト端部に固定される。挿入ユニットは外ねじ山を有する延伸部を有することでユニバーサルアダプタの内ねじ山と結合する。また挿入ユニットは内ねじ山を有することでキューの区間段部における外ねじ山を有するピンと結合する。
【００１０】
本考案の接続シャフトは、キューの区間段部を収納し、かつシャフト、ユニバーサルアダプタ及び挿入ユニットを有する接続シャフトである。ユニバーサルアダプタは外ねじ山を有する延伸部を有することでバットエンドに密接することが可能である。挿入ユニットは外ねじ山を有する延伸部を有することでユニバーサルアダプタの外ねじ山と結合することが可能である。また挿入ユニットは内ねじ山を有することでキューの一つの区間段部における外ねじ山を有するピンと分離したり結合したりすることが可能である。また接続シャフトはシャフトのバットエンドに固定される受け具を有する。受け具は内ねじ山を有することでユニバーサルアダプタの外ねじ山と結合する。
【００１１】
また、本考案はシャフトとユニバーサルシャフト接合具を有するビリヤードのキューの振動軽減シャフト（vibration reducing shaft）を提供する。シャフトはボールを突いた時の振動を吸収可能な振動吸収材料を有する。外ねじ山のピンがシャフトに収納されている時、振動軽減シャフトは軸方向に対し、剛性を呈する一体と考えられる。
また、本考案はビリヤードのキューの二つの区間段部を結合させ、かつ相互に共用可能な端部を有することで第一区間段部に固定することが可能であるユニバーサル挿入ユニットを提供する。ユニバーサル挿入ユニットは相補ねじ山段部を有することで第二区間段部の相補端部を収納する。ユニバーサル挿入ユニットは共用相補端部を有するユニバーサルアダプタと、相補ねじ山段部を有するヘッド部を有する。また、ユニバーサル挿入ユニットはビリヤードのキューのアダプタの部分としてキット(kit)に適用可能である。
【考案を実施するための最良の形態】
【００１２】
以下、本考案の構造と特徴を実施例と図面に基づいて説明する。
図１Ａに示すように、ユニバーサルシャフト接合具１００はユニバーサルアダプタ１１０と挿入ユニット１４０を含む。図１Ｂに示すように、ユニバーサルアダプタ１１０はシャフト１５０のバットエンド１５５と連接する外ねじ山１１７を有する延伸部１１４と、内ねじ山１０９とを含む。挿入ユニット１４０はユニバーサルアダプタ１１０の内ねじ山１０９と連接する外ねじ山１４３を有する延伸部１４１と、外ねじ山のピン１６５と結合する内ねじ山１４５とを含む。ピン１６５はビリヤードのキューの区間段部１６０に固定される。
【００１３】
ユニバーサルシャフト接合具はシャフトに対応し、適切な挿入ユニットによりユニバーサルアダプタに挿入することでキューの区間段部における特定のピンを収納することが可能である。これにより、製造者はユニバーサルアダプタと結合するように規格化しているバットエンドのシャフトを製作することが可能であるため、異なるピンに対応するために異なるシャフトを製作する必要がなくなる。
【００１４】
多くの場合、ビリヤードのキューはボールを突くための自由端のシャフトと、ハンドルを有するバットなどの二節から組成される。したがって、本実施例は特にビリヤードのキューのバットのピンを収納するものである。またビリヤードのキューは三節またはそれ以上から組成される場合があるため、本実施例はハンドルがない区間段部と結合することが可能である。本実施例はシャフトの結合を掲示するものであるが、本考案の精神はビリヤードのキューの任意の区間段部に適用可能である。
【００１５】
ユニバーサルアダプタ１１０は、図１Ａに示すように、横断面１７０が円形の段部１１９を有する。シャフト１５０が区間段部１６０と密接している場合、円形の横断面１７０はシャフト１５０と他の区間段部１６０との間に位置するキューの表面を形成する。この表面は連続している平滑な表面であることが好ましい。区間段部がキューのバットエンドとなる場合、ユニバーサルアダプタの横断面の直径は周知のキューのバットエンドと一致する。例えば直径は0.82インチから0.86インチの間である。直径は約0.835インチ、0.841インチ、0.845インチまたは0.850インチなど標準直径であることも可能である。
【００１６】
挿入ユニットはピンとの接合に適する材料から製作することが可能であるため、キューの分解と組立てを繰り返しても、挿入ユニットとピンは摩損しにくい。したがってキューの寿命を延長することが可能となる。例えば挿入ユニットは黄銅（brass）から製作される。
図１Ａと図１Ｂに示すように、挿入ユニット１４０の内ねじ山１４５はピン１６５と連接する5/16-18ねじ山である。図２Ａと図２Ｂに示すように、ユニバーサルシャフト接合具２００の挿入ユニット２４０はユニバーサルアダプタ２１０に挿入され、かつシャフト２５０の外ねじ山を有するピン（例えばアメリカUni-Loc（「Uni-Loc」は登録商標）社製造のUni-Loc接合システム）と、一回り回転しているうちに結合するか分離することが可能である。また、図４Ａと図４Ｂに示すように、もう一つの内ねじ山を有する挿入ユニットは3/8-10ねじ山、5/16-18ねじ山またはボール形ねじ山を有するピン（例えばアメリカUni-Loc社製造のRadial（「Radial」は登録商標）ピン）と結合することが可能である。また、ほかの種類の周知の装置も適用可能である。
【００１７】
挿入ユニットは任意の周知技術によりユニバーサルアダプタの内ねじ山と結合することが可能である。例えば両者の間に凹槽または欠け口を設けて接着剤または樹脂を注入する。任意の相関的な周知技術はすべて適用可能である。
図３Ａと図３Ｂに示すのは、挿入ユニットがないユニバーサルシャフト接合具、共用シャフト端部３１５によりシャフト３２０上に固定する（図３Ｂの如く）ユニバーサルアダプタ３１０である。ユニバーサルアダプタは内ねじ山を有することで、外ねじ山部を有するピンと結合する。図４Ａと図４Ｂに示すように、ユニバーサルシャフト接合具４１０はボール形ねじ山４１２の内側区（inner section）を有することで、キューのほかの区間段部４６０における外ボール形ねじ山を有するピン４６５と結合する。また内ねじ山はユニバーサルアダプタに孔を開けて孔壁に形成する内ねじ山でもよい。
【００１８】
図４Ａ中のユニバーサルシャフト接合具４１０は貫通孔４１４を有し、また図４Ｃに示すようにユニバーサルシャフト接合具４３０は貫通孔４３４を有する。ユニバーサルシャフト接合具の挿入ユニットは図１Ａと図１Ｂに示すように貫通孔（一部分または全部）に被せる。または図６に示すようなユニバーサルシャフト接合具６２６では、挿入ユニットはアダプタを貫通することなく、アダプタの中に入り込む。
【００１９】
ユニバーサルシャフト接合具の共用シャフト端部はユニバーサルシャフト接合具をシャフトに固定する。図３Ａと図３Ｂに示すように、ユニバーサルシャフト接合具３１０は外ねじ山３１６を有する延伸部３１２を有することでシャフト３２０の内ねじ山３２１と結合することが可能である。また、他の共用シャフト端部を例にしたもう一つの実施例では、ユニバーサルシャフト接合具の共用シャフト端部はねじ山を持たず、円柱状の延伸部はシャフトの円状孔に挿入することが可能である。また共用シャフト端部はテーパー状（taper）または他の形状などを採用することが可能である。
【００２０】
受け具によりユニバーサルシャフト接合具をシャフト上に固定することが可能である。図５ＡからＣに示すように、受け具５２０はシャフト５３０のバットエンド５３５に固定され、かつ内ねじ山５２２を有することでユニバーサルシャフト接合具５１０の外ねじ山５１５と結合する。図５Ｂに示すように、受け具は外ねじ山を有する延伸部を有することでシャフトのバットエンドと結合する（M28-2ねじ山の如く）。またほかの方法により受け具とシャフトとを結合させることが可能である（例えば平滑な円柱をシャフトの孔に挿入する）。また受け具は共用形態を有することでユニバーサルアダプタの共用シャフト端部と結合することが可能である（例えば受け具はユニバーサルアダプタの円柱形の延伸部を挿入するための平滑な円柱孔を有する）。結合方法は周知技術のいずれでもよい。
【００２１】
このような構造は木製のシャフト、または環境要素（例えば湿度）により変化するようなシャフトに適用可能である。受け具は安定した材料から製作されることが望ましい。これにより結合状態を確保することが可能となる。
受け具は前述の修正範囲（挿入ユニットを持っている、または持っていないユニバーサルシャフト接合具）を含む任意のユニバーサルシャフト接合具に対応可能である。
【００２２】
任意のユニバーサルシャフト接合具を使用する場合、接続シャフトによりキューの一つの区間段部を結合することが可能である。接続シャフトは外ねじ山によりシャフトと結合するユニバーサルシャフト接合具を有する。図１Ｂ、図２Ｂ、図４Ｂに示すように、接続シャフトは前述の変化形態を呈する任意のユニバーサル接合具を有することが可能である。また接続シャフトは前述の如く、挿入ユニットによりシャフトのバットエンドに固定してユニバーサルシャフト接合具と結合することが可能である。
【００２３】
また、ユニバーサルシャフト接合具は必ずしもキューの上に固定するとは限らない。この時、異なる内ねじ山により異なるピンと結合する異なるユニバーサルシャフト接合具を共用バットエンドを有するシャフトに取り替えれば、分離可能な方法で同じシャフトとキューにおける異なるピンを有する区間段部とを結合させることが可能である。
異なるユニバーサルシャフト接合具はキット（kit）を形成することでシャフトをキューのもう一つの区間段部に接続させることが可能である。それぞれの区間段部は特定のピン（上にねじ山を有する）を有する。図６に示すように、全てのシャフト６１０はバットエンド６１１を有する。キットは内ねじ山を有するユニバーサルシャフト接合具キット６２０を有する。図６中の符号６２５、６２６、６２８、６２９のユニットを含むユニバーサルシャフト接合具キット６２０は特定のピンを有する。またもう一つのキット６２０は形態が異なる（例えば異なる内ねじ山段部を有する）ユニバーサルシャフト接合具キットである。すべての内ねじ山段部は特定のねじ山を有する。例えば符号６２１、６２２、６２３または６２６のユニットは一つの区間段部におけるピンと結合することでビリヤードのキューまたはキューの一部分を形成することが可能である。すべてのユニバーサルシャフト接合具は共用シャフト端部の外ねじ山部６２７を有することでシャフト６１０のバットエンド６１１と結合する。
【００２４】
このキットはシャフトと特定のピンを有する区間段部とを結合させることが可能である。図６に示すように、特定の区間段部６３０はボール形ねじ山を有するピン６３５を有する。適切なユニバーサルシャフト接合具６２５は内ボール形ねじ山６２６を有することでシャフトのバットエンド６１１と結合する。これによりシャフトは分離可能な方法で区間段部６３０と結合してキューまたはキューの一部分を形成することが可能となる。
【００２５】
このキットはキューの生産を簡易化させることが可能であるため、ビリヤードのキューの製造者が共用バットエンドを有するシャフトを製作してキットに使用すると、シャフトは任意のバットエンドの特定のピンによりビリヤードのキューを形成することが可能となる。したがって製造者は様々な形態を呈するシャフトとそれに対応するピンを製作する必要がなくなる。キューのバットエンドと異なるシャフトとを組み合わせることで特性が異なるキューを求めることが可能である。
【００２６】
このキットは前述の任意の変化形態に対応可能である。図６に示すようなキット６２０のうちの二つのユニバーサルシャフト接合具６２５、６２８が内ねじ山を有する場合、ほかの二つのユニバーサルシャフト接合具６２１、６２３はユニバーサルアダプタ中の挿入ユニットに対応する。また、二つのユニバーサルシャフト接合具６２８、６２９が挿入ユニットを貫通する孔を有する場合、ほかの二つのユニバーサルシャフト接合具６２５、６２６はユニバーサルシャフト接合具を貫通していない。すべてのユニバーサルシャフト接合具６２０は異なるねじ山により異なるピンと結合する。
【００２７】
相関的な実施例では、一組の接続シャフトと一つのキットの部分的なユニットとを組み合わせることが可能である。ユニバーサルシャフト接合具を有する前述の実施例に対し、相関的な実施例はシャフトを一組有する。すべてのシャフトは共用バットエンドを有することで任意のユニバーサルシャフト結合具と結合する。キットを組成するユニットにより接続シャフトを一組提供し、分離可能な方法でキューのほかの区間段部における異なるピンを結合させることが可能である。本実施例におけるユニバーサルシャフト接合具は前述の如く、ユニバーサルアダプタ、挿入ユニット、受け具などを使用するような任意の変化をすることが可能である。
【００２８】
異なるユニバーサルシャフト接合具は異なる方法を採用することが可能である。例えばユニバーサルアダプタと挿入ユニットを有するユニバーサルシャフト接合具、または挿入ユニットを含まないユニバーサルシャフト接合具を使用することが可能である。受け具は少なくとも一つのシャフト上に固定される。かつ受け具は共用形態を呈することでユニバーサルシャフト接合具と結合可能である。
【００２９】
図７に示すのはユニバーサルシャフト接合具を有する振動軽減シャフトである。振動軽減シャフト７００はシャフト７１０を有し、振動吸収材料７３０は円形を呈し、シャフト７１０を被覆する。カバー７２０はシャフト７１０と振動吸収材料７３０を覆う。また、振動軽減シャフトはユニバーサルアダプタ７４０と挿入ユニット７４７を含むユニバーサルシャフト接合具を有する。ユニバーサルアダプタは外ねじ山を有する延伸部７４５を有することでシャフト７１０のバットエンド７１５と結合する。ユニバーサルアダプタ７４０は挿入ユニット７４７と結合することが可能である。挿入ユニット７４７は内ねじ山を有することで分離可能な方法でキューの区間段部における外ねじ山を有するピンと結合することが可能である。これにより軸方向に対し剛性を呈する振動軽減シャフトを組成することが可能となる。
【００３０】
前述のユニバーサルシャフト接合具と振動軽減シャフトを採用する場合、次のようなメリットがある。振動軽減シャフトと他の形態を呈するシャフトを製作する製造者はシャフトと既存のキューのバットとを接続させることが可能であるため、特定のピンにしか対応できないシャフトを製作する必要がなくなるということである。シャフトは共用バットエンドを有することでユニバーサルシャフト接合具と結合可能である。またプレイヤーは直接シャフトとほかのキューとを結合させることで特性のあるキューを求めることが可能である。
【００３１】
また、もう一つの実施例によるユニバーサルシャフト接合具はキューの任意の二つの区間段部と結合可能である。図８Ａに示すように、キューの二つの区間段部８１０、８２０はユニバーサル接合具８３０により結合可能である。第一区間段部８１０は共用端部８１５を有し、ユニバーサル接合具８３０は相互に共用可能な端部８３５により第一区間段部８１０の共用端部８１５に相互対応し、相補ねじ山部８３７により第二区間段部８２０のねじ山部８２５と結合することが可能である。図８Ａに示すように、ねじ山部８２５はボール形ねじ山を有する。相補ねじ山部８３７はユニバーサル接合具８３０の内ボール形ねじ山である。また、ユニバーサル挿入ユニット８４０は相互に共用可能な端部８３５と同じ相補ねじ山部８４５を有する。
【００３２】
図８Ｂに示すように、第一区間段部８７０は共用端部８７５を有する。ユニバーサル挿入ユニット８６０は共用端部８７５と結合する相互に共用可能な端部８６５と、特定形態を呈するボール形ねじ山のピンである相補ねじ山部８６７とを有する。相補ねじ山部８６７は分離可能な方法でユニバーサル挿入ユニット８６０とねじ山部８５５の第二区間段部８５０とを結合させることが可能である。もう一つのユニバーサル挿入ユニット８８０は相互に共用可能な端部８６５と同じ相補ねじ山部８８５を有する。
【００３３】
共用端部と相互に共用可能な端部は任意の方法でユニバーサル挿入ユニットとキューの第一区間段部とを結合させることが可能である。したがって、共用端部は必ずしもねじ山を有するとは限らず、内ねじ山または外ねじ山を有してもよい。ねじ山部と相補ねじ山部は任意の方法でユニバーサル挿入ユニットと第二区間段部とを結合させることが可能である。したがって、ねじ山は任意の形式（内ねじ山、外ねじ山またはボール形ねじ山など）であってもよい。
【００３４】
ユニバーサル挿入ユニットの共用端部と第一区間段部の相互に共用可能な端部とが固定されないように結合している場合、異なる相補ねじ山部を有するユニバーサル挿入ユニットは第一区間段部において交換可能である。このような構造は適当な第一区間段部を選択することにより特定の活動部を有する第二区間段部と結合することが可能である。図８Ａに示すように、ユニバーサル挿入ユニット８３０または８４０は第一区間段部８１０により異なる相補ねじ山部８３７、８４５と、異なるねじ山部を有する第二区間段部とを結合させることが可能である。ユニバーサルアダプタを有するユニバーサル挿入ユニットはこれに対応可能である。
【００３５】
ユニバーサル挿入ユニットはキットに適用し、キューのそれぞれの区間段部を結合させるかキューの接続区間段部を形成することが可能である。ユニバーサル挿入ユニットは相互に共用可能な端部８６５を有するユニバーサルアダプタ８８７と、図８Ｂに示すように相補ねじ山部８８０を有してユニバーサルアダプタ８８７中に入り込むボール形ねじ山のピンである挿入ユニット８８８とを有する。ユニバーサル挿入ユニットは一組のキューの区間段部と他の一組のキューの区間段部とを組み合わせることが可能である。キューの区間段部は前述の制振材料に適用可能である。
上述は本考案の好ましい実施例に過ぎないため、本考案の説明書と請求項に基づいて同等の方法変化をすることは本考案の請求範囲に含まれるべきである。
【図面の簡単な説明】
【００３６】
【図１Ａ】本考案の実施例によるユニバーサルアダプタと挿入ユニットを示す断面図である。
【図１Ｂ】本考案の実施例によるユニバーサルアダプタと挿入ユニットを示す断面図である。
【図２Ａ】本考案の実施例によるユニバーサルアダプタと挿入ユニットを示す断面図である。
【図２Ｂ】本考案の実施例によるユニバーサルアダプタと挿入ユニットを示す断面図である。
【図３Ａ】本考案の実施例によるユニバーサルアダプタを示す断面図である。
【図３Ｂ】本考案の実施例によるユニバーサルアダプタを示す断面図である。
【図４Ａ】本考案の実施例によるユニバーサルシャフト接合具を示す断面図である。
【図４Ｂ】本考案の実施例によるユニバーサルシャフト接合具を示す断面図である。
【図４Ｃ】本考案の実施例によるユニバーサルシャフト接合具を示す断面図である。
【図５Ａ】本考案の実施例によるユニバーサルシャフト接合具を示す断面図である。
【図５Ｂ】本考案の実施例による受け具を示す断面図である。
【図５Ｃ】本考案の実施例によるビリヤードのキューを示す部分的な断面図である。
【図６】本考案の実施例によるビリヤードのキュー、ユニバーサルシャフト接合具、及びビリヤードのキューの区間段部を示す模式図である。
【図７】本考案の実施例による振動軽減シャフトとユニバーサルシャフト接合具とを組み合わせた状態を示す断面図である。
【図８Ａ】本考案の実施例によるユニバーサル挿入ユニットを示す断面図である。
【図８Ｂ】本考案の実施例による受け具を示す断面図である。
【符号の説明】
【００３７】
１００  ユニバーサルシャフト接合具、１０９  内ねじ山、１１０  ユニバーサルアダプタ、１１４  延伸部、１１７  外ねじ山、１１９  段部、１４０  挿入ユニット、１４１  延伸部、１４３  外ねじ山、１４５  内ねじ山、１５０  シャフト、１５５  バットエンド、１６０  区間段部、１６５  ピン、１７０  横断面、２００  ユニバーサルシャフト接合具、２１０  ユニバーサルアダプタ、２４０  挿入ユニット、２５０  シャフト、３１０  ユニバーサルアダプタ、３１２  延伸部、３１５  共通シャフト端部、３１６  外ねじ山、３２０  シャフト、３２１  内ねじ山、４１０  ユニバーサルシャフト接合具、４１２  ボール形ねじ山、４１４  貫通孔、４３０  ユニバーサルシャフト接合具、４３４  貫通孔、４６０  区間段部、４６５  ピン、５１０  ユニバーサルシャフト接合具、５１５  外ねじ山、５２０  受け具、５２２  内ねじ山、５３０  シャフト、５３５  バットエンド、６１０  シャフト、６１１  バットエンド、６２０  ユニバーサルシャフト接合具キット、６２１、６２２、６２３、６２５、６２６、６２８  ユニバーサルシャフト接合具、６２７  シャフト端の外ねじ山部、６３０  区間段部、６３５  ピン、７００  振動軽減シャフト、７１０  シャフト、７１５  バットエンド、７２０  カバー、７３０  振動吸収材料、７４０  ユニバーサルアダプタ、７４５  延伸部、７４７  挿入ユニット、８１０  第一区間段部、８１５  共通端部、８２０  第二区間段部、８２５  ねじ山部、８３０  ユニバーサル接合具、８３５  相互に共用可能な端部、８３７  相補ねじ山部、８４０  ユニバーサル挿入ユニット、８４５  相補ねじ山部、８５０  第二区間段部、８５５  ねじ山部、８６０  ユニバーサル挿入ユニット、８６５  相互に共用可能な端部、８６７  相補ねじ山部、８７０  第一区間段部、８７５  共用端部、８８０  ユニバーサル挿入ユニット、８８５  相補ねじ山部、８８７  ユニバーサルアダプタ、８８８  挿入ユニット
【図１Ａ】
0003113643.tif 000003
【図１Ｂ】
0003113643.tif 000004
【図２Ａ】
0003113643.tif 000005
【図２Ｂ】
0003113643.tif 000006
【図３Ａ】
0003113643.tif 000007
【図３Ｂ】
0003113643.tif 000008
【図４Ａ】
0003113643.tif 000009
【図４Ｂ】
0003113643.tif 000010
【図４Ｃ】
0003113643.tif 000011
【図５Ａ】
0003113643.tif 000012
【図５Ｂ】
0003113643.tif 000013
【図５Ｃ】
0003113643.tif 000014
【図６】
0003113643.tif 000015
【図７】
0003113643.tif 000016
【図８Ａ】
0003113643.tif 000017
【図８Ｂ】
0003113643.tif 000018